(57)【要約】      （修正有）【課題】アクティブマトリックス有機発光ダイオードディスプレイパネルのホワイトバランスの動的調整可能な駆動制御回路の提供。【解決手段】プログラム可能電圧発生器４３０は、Vｄｄ_r  及びVｓｓ_ｒと、Vｄｄ_ｇ及びVｓｓ_ｇと、Vｄｄ_ｂ及びVｓｓ_ｂとのようなプログラム可能電源を生成し、ディスプレイパネル４５０内の赤（R）、緑（G）及び青（B）の画素の電源として機能する。タイミング制御回路４４０は、ゲート駆動回路４１０、ソース駆動回路４２０及びプログラム可能電圧生成器４３０に接続されおり、ゲート駆動回路４１０及びソース駆動回路４２０の間のビデオデータの提示のタイミングを制御する。ディスプレイ時間と、固定値より大きいグレーレベルを有する画素の数等のディスプレイパネルの使用状態に応じて、プログラム可能電源Vｄｄ_ｒ及びVｓｓ_ｒと、Vｄｄ_ｇ及びVｓｓ_ｇと、Vｄｄ_ｂ及びVｓｓ_ｂとの電圧は、動的に調整される。【選択図】図４
2006267766.tif 000002
【特許請求の範囲】
【請求項１】
アクティブマトリックス有機発光ダイオード（AMOLED）ディスプレイパネルの走査線を制御するために、水平走査信号を生成するゲート駆動回路と、
前記水平走査信号に応じて前記AMOLEDディスプレイパネルにビデオデータを加えるソース駆動回路と、
前記AMOLEDディスプレイパネル内の赤、緑及び青の画素を駆動させるための電源として機能する複数のプログラム可能電源を生成するプログラム可能電圧生成器と、
前記ゲート駆動回路、前記ソース駆動回路及び前記プログラム可能電圧生成器に接続されたタイミング制御回路とを備えたアクティブマトリックス有機発光ダイオード（AMOLED）駆動制御回路であって、
前記タイミング制御回路は、前記ゲート駆動回路及び前記ソース駆動回路の間の前記ビデオデータの提示のタイミングを制御し、前記AMOLEDディスプレイパネルの使用状態に応じて前記プログラム可能電源の電圧値を動的に調整することを特徴とするアクティブマトリックス有機発光ダイオード（AMOLED）ディプレイパネルのホワイトバランスを動的に調整するためのアクティブマトリックス有機発光ダイオード (AMOLED)駆動制御回路。
【請求項２】
前記タイミング制御回路は、前記ゲート駆動回路及び前記ソース駆動回路の間の前記ビデオデータの提示のタイミングを制御するためのソース及びゲートタイミングデータ制御回路と、信号伝送インターフェイスとしてのインターフェイス処理回路と、前記ソース及びゲートタイミングデータ制御回路及び前記インターフェイス処理回路に接続され、前記アクティブマトリックス有機発光ダイオード（AMOLED）ディスプレイパネルの使用状態に応じて前記プログラム可能電源の前記電圧値を設定するためのパラメータを調整し、前記インターフェイス処理回路を介して前記プログラム可能電圧生成器に前記パラメータを提示するホワイトバランス調整回路とを備えることを特徴とする請求項１に記載のアクティブマトリックス有機発光ダイオード（AMOLED）駆動制御回路。
【請求項３】
前記ホワイトバランス調整回路は、少なくとも前記ビデオデータをプリセットデータ値と比較し、第1比較信号を生成する第1比較器と、該第1比較器に接続され、前記第1比較信号に基づきカウント値を計算するカウンタと、該カウンタに接続され、前記カウント値をプリセットカウント値と比較し、第２比較信号を生成する第２比較器と、該第２比較器に接続され、プリセットタイム期間の経過後に前記第２比較信号に基づき調整信号を生成するANDロジックユニットと、該ANDロジックユニットに接続され、前記調整信号に応じて前記プログラム可能電源の前記電圧値を設定するための前記パラメータを提供し、前記インターフェイス処理回路を介して前記プログラム可能電圧生成器に前記パラメータを送るパラメータ設定ユニットとを備えることを特徴とする請求項２に記載のアクティブトリックス有機発光ダイオード（AMOLED）駆動制御回路。
【請求項４】
前記プリセットデータ値、前記プリセットカウント値及び前記プリセットタイム期間は、読み取り専用メモリユニット内に記憶されることを特徴とする請求項３に記載のアクティブマトリックス有機発光ダイオード（AMOLED）駆動制御回路。
【請求項５】
前記プリセットデータ値、前記プリセットカウント値及び前記プリセットタイム期間は、電気的消却・プログラム可能型読取専用メモリ内に記憶されることを特徴とする請求項３に記載のアクティブマトリックス有機発光ダイオード（AMOLED）駆動制御回路。
【請求項６】
前記プリセットデータ値、前記プリセットカウント値及び前記プリセットタイム期間は、フラッシュメモリユニット内に記憶されることを特徴とする請求項３に記載のアクティブマトリックス有機発光ダイオード（AMOLED）駆動制御回路。
【請求項７】
前記インターフェイス処理回路は、シリアル伝送インターフェイスを備えることを特徴とする請求項２に記載のアクティブマトリックス有機発光ダイオード（AMOLED）駆動制御回路。
【請求項８】
AMOLEDディスプレイパネル内の赤、緑及び青の画素を駆動させるための電源として機能する複数のプログラム可能電源を設け、
前記アクティブマトリックス有機発光ダイオード（AMOLED）ディスプレイパネルの使用状態に応じて前記プログラム可能電源の電圧値を動的に調整することを特徴とするAMOLED駆動制御回路を用いたアクティブマトリックス有機発光ダイオード（AMOLED）ディスプレイパネルのホワイトバランスの動的調整方法。
【請求項９】
前記アクティブマトリックス有機発光ダイオード（AMOLED）ディスプレイパネルの前記使用状態に応じて前記プログラム可能電源の前記電圧値を動的に調整する工程は、ビデオデータを受信し、前記ビデオデータをプリセットデータ値と比較し、前記ビデオデータが前記プリセットデータ値以上である場合、カウンタ内の値を増加し、前記カウンタ値をプリセットカウント値と比較し、前記カウント値が前記プリセットカウント値以上である場合、プリセットタイム期間の経過後前記プログラム可能電源の前記電圧値を調整することを特徴とする請求項８に記載の調整方法。
【発明の詳細な説明】
【技術分野】
【０００１】
本発明は、アクティブマトリックス有機発光ダイオード（AMOLED）駆動制御回路及び駆動方法に関する。特に、本発明は、ホワイトバランスを動的調整可能なアクティブマトリックス有機発光ダイオード（AMOLED）駆動制御回路及びその調整方法に関する。
【背景技術】
【０００２】
半導体製造技術の急速な発展に伴い、パーソナルコンピュータ、携帯電話、携帯情報端末及びデジタルカメラ等の種々のタイプの情報処理装置が開発されている。情報機器において、最も重要な要素の一つは、ディスプレイ装置である。フラットパネルディスプレイは、軽量且つ薄型であり、消費電力が少ないため、最も人気のあるディスプレイ製品の一つとなってきている。
【０００３】
アクティブマトリックス有機発光ダイオード（AMOLED）ディスプレイは、広視野角、良好なカラーコントラスト、迅速な応答及び低生産コストを含む多くの利点を有するフラットパネルディスプレイ特有のタイプである。現在、電子時計、携帯電話、携帯情報端末及びデジタルカメラ等の小さなディスプレイを必要とする多くの装置は、AMOLEDディスプレイを使用している。
【発明の開示】
【発明が解決しようとする課題】
【０００４】
しかしながら、赤（R）、緑（G）及び青（B）の光を生成する有機発光ダイオード内の物質は異なっているため、各色の輝度レベルは、長期に渡る使用により変化する場合がある。最終的には、OLEDディスプレイパネルのホワイトバランスが、低下する場合もある。図１は、赤、緑及び青の光を生産するための３つのタイプの高分子量の発光物質の寿命に対する輝度レベルの曲線を示す。図１では、明るい曲線は、赤、緑及び青の高分子量の発光物質の輝度レベルの経時的減衰度を示す。３つの高分子量の発光物質の経時的減衰度が同一でないことは明らかである。各色の輝度レベルは、ある期間の経過後変化し、これにより、ディスプレイパネルでのホワイトバランスの低下を招く。
【０００５】
従って、本発明の少なくとも一つの目的は、使用状態によりアクティブマトリックス有機発光ダイオード（AMOLED）ディスプレイパネルのホワイトバランスを動的に調整可能なアクティブマトリックス有機発光ダイオード（AMOLED）駆動制御回路及びその調整方法を提供することである。
【課題を解決するための手段】
【０００６】
このような目的及び他の利点を達成するために、本発明の目的に応じてここで実施され広く説明されるように、本発明は、アクティブマトリックス有機発光ダイオード（AMOLED）ディスプレイパネルを駆動可能なアクティブマトリックス有機発光ダイオード（AMOLED）駆動制御回路及びアクティブマトリックス有機発光ダイオード（AMOLED）ディスプレイパネルのホワイトバランスを動的に調整可能なアクティブマトリックス有機発光ダイオード（AMOLED）駆動制御回路を提供する。AMOLED駆動制御回路は、ゲート駆動回路、ソース駆動回路、プログラム可能電圧生成器及びタイミング制御回路を備える。ゲート駆動回路は、AMOLEDディスプレイパネルの走査線ディスプレイを制御するための水平走査信号を生成する。ソース駆動回路は、水平走査信号と一体化し、ディスプレイ走査線のビデオデータをAMOLEDディスプレイパネルに送信する。プログラム可能電圧生成器は、AMOLEDディスプレイ内の赤、緑及び青の画素の電源として機能する複数のプログラム可能電源を生成する。タイミング制御回路は、ゲート駆動回路、ソース駆動回路及びプログラム可能電圧生成器に接続され、ゲート駆動回路及びソース駆動回路の間のビデオデータのタイミングを制御する。AMOLEDディスプレイパネルの使用状態に応じて、タイミング制御回路は、プログラム可能電源の電圧値を動的に調整する。これにより、AMOLEDディスプレイパネルのホワイトバランスも調整される。
【０００７】
本発明の一つの実施態様では、タイミング制御回路は、更に、ソース及びゲートタイミングデータ制御回路、インターフェイス処理回路及びホワイトバランス調整回路を備える。ソース及びゲートタイミングデータ制御回路は、ゲート駆動回路及びソース駆動回路の間のビデオデータのタイミングを制御する。インターフェイス処理回路は、信号伝送インターフェイスとして機能する。ホワイトバランス調整回路は、ソース及びゲートタイミングデータ制御回路及びインターフェイス処理回路に接続される。ホワイトバランス調整回路は、AMOLEDディスプレイパネルの使用状態に応じてプログラム可能電源の電圧値を変更するための調整可能パラメータを設定し、インターフェイス処理回路を介してプログラム可能電圧生成器にパラメータを送る。
【０００８】
本発明の一つの実施態様では、AMOLEDディスプレイパネルの使用状態又は物質劣化度は、設定期間内のビデオデータで表示されたグレーレベルが、２５５等のプリセット値を超えているか否かにより判断される。その判断結果により、プログラム可能電源の電圧値を設定するための調整可能パラメータの値が決定される。従って、ホワイトバランス調整回路は、少なくとも、第1比較器、カウンタ、第２比較器、ANDロジックユニット及びパラメータ設定ユニットを備える。
【０００９】
第1比較器は、ビデオデータをプリセットデータ値と比較し、第1比較信号を生産する。入力ビデオデータの表示されたグレーレベルがプリセットデータ値以上の場合、第1比較信号が送られる。カウント値を保持するためのカウンタは、第1比較器に接続され、これによりカウント値は、第1比較信号を受信すると、例えば、１増加する。第２比較器は、カウンタに接続され、カウンタにより登録されたカウント値をプリセットカウント値と比較し、第２比較信号を生成する。プリセット値以上のビデオデータの表示されたグレーレベルの数が、設定カウント値に到達すると、第二比較信号が送られる。ANDロジックユニットは、第２比較器に接続され、所定期間の経過後、第２比較信号に応じて調整信号を生成する。パラメータ設定ユニットは、ANDロジックユニットに接続され、調整信号に応じてプログラム可能電源の電圧値を変更するための調整可能パラメータを設定し、インターフェイス処理回路を介してプログラム可能電源にパラメータ値を送る。
【００１０】
上述のプリセットデータ値、プリセットカウント値及びプリセットタイム期間を、読み取り専用メモリ、電気的消却・プログラム可能型読取専用メモリ又はフラッシュメモリに保存することができる。上述のインターフェイス処理回路を、IICのようなシリアル伝送インターフェイスとすることもできる。
【００１１】
本発明は、また、AMOLED駆動制御回路を用いるアクティブマトリックス有機発第オード（AMOLED）ディスプレイパネルのホワイトバランスを動的に調整する方法を提供する。該方法は、次の工程を含む。まず、AMOLEDディスプレイパネル内で赤、緑及び青の画素を駆動させるための電源として機能する複数のプログラム可能電源を設ける。その後、AMOLEDディスプレイパネルの使用状態に応じて、種々のプログラム可能電源の電圧値を動的に調整する。
【００１２】
AMOLEDディスプレイパネルの使用状態に応じたプログラム可能電源の電圧値の調整方法は、ビデオデータを受信し、ビデオデータをプリセットデータ値と比較する。ビデオデータが、プリセットデータ値以上、又は、即ち、ビデオデータの表示されたグレーレベルが、２５５のプリセットデータ値以上であると、カウンタ内の値は１増加する。その後、カウンタにより登録された値をプリセットカウント値と比較する。プリセットタイム期間が経過し、カウンタ内の値がプリセットタイム値以上であると、これは、ディスプレイパネル内の物質の劣化度がすでに許容レベルを超えたことを表す。従って、AMOLEDディスプレイパネルでのより良好なホワイトバランスを得るために、プログラム可能電源の電圧値を調整する。
【発明の効果】
【００１３】
従って、本発明のAMOLED駆動制御回路及び調整方法は、パネル内の発光物質の劣化度に応じてAMOLEDディスプレイパネルのホワイトバランスを動的に調整することができる。従って、AMOLEDディスプレイパネルは、より良好な且つ長期的なホワイトバランスを得ることができる。
【発明を実施するための最良の形態】
【００１４】
上述の一般的な説明及び以下の詳細な説明は、例示的なものであり、請求されるような本発明の更なる説明を提供することを意図とする。
【００１５】
本発明の好ましい実施態様を詳細に説明するために、符号を添付図面に示される例に用いる。可能な限り同一又は同様の部分を参照するために、同一符号を、図面及び説明に用いる。
【００１６】
添付図面は、本発明を更に理解するために含まれ、本明細書の一部に組み込まれ、本発明の一部を構成する。図面は、説明と共に本発明の実施態様を示し、本発明の原理を説明する。
【実施例】
【００１７】
図２は、AMOLEDディスプレイパネルにおけるアクティブマトリックス有機発光ダイオードの画素回路を示す等価図である。図２に示すように、アクティブマトリックス有機発光ダイオード（AMOLED）画素は、第1トランジスタ２１０、第２トランジスタ２２０、キャパシタ２３０及び有機発光ダイオード２４０を有する。第1トランジスタ２１０のゲート端末は、走査線に接続されており、第1トランジスタ２１０のドレイン端末は、データ線に接続されている。第1トランジスタ２１０のソース端末は、第２トランジスタ２２０のゲート端末と同様にキャパシタ２３０の一方の端末に接続されている。第２トランジスタ２２０のドレイン端末は、電源Vｄｄに接続されており、第２トランジスタ２２０のソース端末は、有機発光ダイオード２４０の陽極に接続されている。
【００１８】
水平走査信号が、走査線を介して画素に加えられると、トランジスタ２１０はオンされ、その結果、データ線の電圧Vgが、第２トランジスタ２２０のゲート端末に印加される。一般的に、有機発光ダイオード２４０の輝度レベルは、有機発光ダイオード２４０を流れる電流Iｄに比例している。従って、有機発光ダイオード２４０の表示されたグレーレベルを、データ線のビデオデータを示す電圧値により制御することができる。
【００１９】
AMOLEDディスプレイパネルが長時間に渡り使用されると（図１参照）、赤、緑及び青の光の輝度レベルが、赤、緑及び青の光を生産するための高分子量の発光物質の劣化度の違いにより変化する可能性がある。３原色の輝度レベルの不均一性は、しばしば、ホワイトバランスの問題を招く。本発明では、有機発光ダイオード２４０を流れる電流Iｄの大きさを調整するために、図２の電源Vddの電圧をリセットすることができる。これにより、有機発光ダイオード２４０の実際の光度を変更することができる。供給電圧の調整効果を、図３に示すトランジスタの電圧曲線に対する特性電流から観察することができる。
【００２０】
図４は、本発明の一つの実施態様によるAMOLEDディスプレイパネルのホワイトバランスを動的に調整するためのAMOLED駆動制御回路の回路図である。図４に示すように、AMOLED駆動制御回路は、ゲート駆動回路４１０、ソース駆動回路４２０、プログラム可能電圧発生器４３０及びタイミング制御回路４４０を備える。AMOLED駆動制御回路は、AMOLEDディスプレイパネル４５０内の赤（R）、緑（G）及び青（B）の画素のアレイを駆動する。
【００２１】
ゲート駆動回路４１０は、AMOLEDディスプレイパネル４５０の走査線を制御するための水平走査信号を生成する。ソース駆動回路４２０は、表示を意図するビデオデータに応じてソース信号を付与し、AMOLEDディスプレイパネル４５０内の水平走査線に対応する画素に送る。プログラム可能電圧発生器４３０は、Vｄｄ_r  及びVｓｓ_ｒと、Vｄｄ_ｇ及びVｓｓ_ｇと、Vｄｄ_ｂ及びVｓｓ_ｂとのような複数のプログラム可能電源を生成する。これらの電源は、AMOLEDディスプレイパネル４５０内の赤（R）、緑（G）及び青（B）の画素の電源として機能する。タイミング制御回路４４０は、ゲート駆動回路４１０、ソース駆動回路４２０及びプログラム可能電圧生成器４３０に接続されおり、ゲート駆動回路４１０及びソース駆動回路４２０の間のビデオデータの提示のタイミングを制御する。ディスプレイ時間と、固定値より大きいグレーレベルを有する画素の数等のAMOLEDディスプレイパネル４５０の使用状態に応じて、プログラム可能電源Vｄｄ_ｒ及びVｓｓ_ｒと、Vｄｄ_ｇ及びVｓｓ_ｇと、Vｄｄ_ｂ及びVｓｓ_ｂとの電圧は、動的に調整される。これにより、理想的なホワイトバランスが、AMOLEDディスプレイパネル４５０で常に維持される。
【００２２】
図５は、本発明の一つの実施態様によるタイミング制御回路のブロック図である。図５に示すように、タイミング制御回路４４０は、ソース及びゲートタイミングデータ制御回路５１０、インターフェイス処理回路５３０及びホワイトバランス調整回路５２０を備える。ソース及びゲートタイミングデータ制御回路５１０は、ゲート駆動回路４１０及びソース駆動回路４２０の間のビデオデータの提示のタイミングを制御する。インターフェイス処理回路５３０は、信号伝送のインターフェイスとして機能するIIC等のシリアル伝送インターフェイスを提供する。ソース及びゲートタイミングデータ制御回路５１０と、インターフェイス処理回路５３０とに接続されたホワイトバランス調整回路５２０は、固定値より大きい表示されたグレーレベルを有する画素の数と、ディスプレイ時間とのようなAMOLEDディスプレイパネルの使用状態に応じてプログラム可能電源の電圧値を設定するためのパラメータを調整するために使用される。その後、ホワイトバランス調整回路５２０は、インターフェイス処理回路５３０を介してプログラム可能電圧生成器４３０に電圧値を変更するためのパラメータを送る。
【００２３】
図６は、１６領域に区画された１０２４×７６８の解像度を有するディスプレイパネルを示す。図４及び図５に示す回路と、本発明のAMOLED駆動制御回路とによると、プログラム可能電源の電圧は、例えば、ディスプレイ時間と、固定値より高い表示されたグレーレベルを有する画素の数とに基づき調整される。駆動状態又は、AMOLEDディスプレイパネルの発光物質の劣化度をより正確に測定するために、ホワイトバランス調整回路５２０は、プログラム可能電源の電圧値を正確に設定することができ、AMOLEDディスプレイパネルは、１６領域に区画される。各領域は、指定期間内で固定値より大きい表示されたグレーレベルとなるアクティブマトリックス有機発光ダイオードの数の計数を行なう。従って、収集されたデータは、発光物質の劣化度を判断するための基礎として機能する。この分野に精通している人であれば、AMOLEDディスプレイパネルを、所望の数の計数領域に分割することができることは明らかである。
【００２４】
図７は、本発明の一つの実施態様によるホワイトバランス調整回路の回路図である。図７に示すように、ホワイトバランス調整回路は、少なくとも第1比較器７１０、カウンタ７２０、第２比較器７３０、ANDロジックユニット７４０及びパラメータ設定ユニット７５０を備える。第1比較器７１０、カウンタ７２０、第２比較器７３０及びANDロジックユニット７４０が、AMOLEDディスプレイパネルの一つの領域内のプリセットタイム期間及びプリセットカウント値の状態を判断するために使用されることは明らかである。より多くの領域の状況を検知するために、それに応じて比較器及びカウンタの数を増やす必要がある。
【００２５】
図７では、第1比較器７１０は、表示されるビデオデータを２５５のようなプリセットデータ値と比較し、第1比較信号C1を生成するために用いられる。第1比較信号C1は、入力ビデオデータの表示されたグレーレベルがプリセットデータ値信号以上の場合に生産される。ここでは、２５５のグレーレベルを有するプリセットデータ値が基準として用いられると、物質の最大劣化度を有する全ての８ビットの表示されたビデオデータを、検知することができる。
【００２６】
更に、カウンタ７２０は、第1比較器７１０に接続されており、第1比較信号C1が届くとカウンタ７２０内のカウント値を更新する。例えば、第1比較器７１０から比較信号C１を受信すると、カウンタ７２０内のカウント値は１増える。第２比較器７３０は、カウンタ７２０に接続されており、カウンタ７２０内のカウント値をプリセットカウント値と比較し、第２比較信号C2を生成する。即ち、第２比較器７３０は、プリセットデータ値以上のグレーレベルを有する表示されたビデオデータの数がプリセットカウント値を超えているかを判断するためにチェックする。ANDロジックユニット７４０は、第２比較器７３０に接続されており、プリセット期間の経過後、第２比較信号C2に応じて調整信号ADJを生成する。パラメータ設定ユニット７５０は、ANDロジックユニット７４０に接続されており、調整信号ADJに応じてプログラム可能電源の電圧値を設定するためのパラメータを調整し、その後、インターフェイス処理回路５３０を介してプログラム可能電圧生成器４３０にパラメータを送る。
【００２７】
本実施態様では、プリセットデータ値、プリセットカウント値及びプリセットタイム期間を、例えば、読み取り専用メモリ（ROM）、電気的消去・プログラム可能型読取専用メモリ（EEPROM）又は、フラッシュメモリに記憶することができる。更に、これらの全ての値は、メモリから読み出され、AMOLEDディスプレイパネルが駆動される毎に比較データとして機能する。
【００２８】
図８は、本発明の一つの実施態様によるAMOLED駆動制御回路を用いるAMOLEDディスプレイパネルのホワイトバランスを動的に調整するための工程を示す。本方法は、AMOLEDディスプレイパネルのホワイトバランスを動的に調整することができる。まず、AMOLEDディスプレイパネル内の赤、緑及び青の画素の電源として機能する複数のプログラム可能電源を設ける。その後、AMOLEDディスプレイパネルの使用状態に応じて、種々のプログラム可能電源の電圧値を動的に調整する。上述のAMOLEDディスプレイパネルは、１６領域に区画されている。画素を調整するために各領域で行なわれる工程は同一であるため、図８は、第1領域内のみの画素を調整するための工程を示す。
【００２９】
ステップ８１０では、外部からビデオデータを得る。ステップ８２０では、AMOLEDディスプレイパネル内でいずれの領域に属するかを判断するために、ビデオデータをチェックする。その後、流れは、得られたビデオデータがいずれの領域に属するかにより分かれる。例えば、ビデオデータを、AMOLEDディスプレイパネルの第1領域に属すると判断すると、ステップ８３０を実行し、ビデオデータを２５５のグレーレベルを有するプリセットデータと比較する。ビデオデータがプリセットデータ値以上であると、ステップ８４０を実行し、カウント値は増加する。ステップ８５０では、カウント値をプリセットカウント値と比較し、プリセット値のリミットが経過した場合、カウント値がプリセットカウント値より小さいか否かを判断する。プリセットタイムリミットの経過後カウント値がプリセットカウント値以上であると、AMOLEDディスプレイパネル内の発光物質の劣化が許容値を超えたとみなされる。この場合、ステップ８６０を実行し、種々のプログラム可能電源の電圧値を調整し、より良好なホワイトバランスを有するAMOLEDディスプレイパネルを提供する。基準値としてのプリセットタイムリミット及びプレセットカウント値を、実際の要件に応じて変更することができることは明らかである。更に、一組のプリセットタイムリミット及び一組のプリセットカウント値を用いることもできる。
【００３０】
本発明の範囲又は精神から逸脱しない限り、本発明の構造に種々の改良及び変形が施されることは、当業者にとって明らかである。上記を考慮して、本発明は、以下の請求項及びその均等の範囲に収まる本発明の変形や変化を含む。
【図面の簡単な説明】
【００３１】
【図１】赤、緑及び青の光を生産するための３つのタイプの高分子量の発光物質の寿命に対する輝度レベルの曲線を示す。
【図２】アクティブマトリックス有機発光ダイオードの画素回路を示す等価図である。
【図３】図２に示す回路内のトランジスタの特徴曲線を示す図である。
【図４】本発明の一つの実施態様によるAMOLEDディスプレイパネルのホワイトバランスを動的に調整するためのAMOLED駆動制御回路の回路図である。
【図５】本発明の一つの実施態様によるタイミング制御回路のブロック図である。
【図６】１６領域に区画された１０２４×７６８の解像度を有するディスプレイパネルを示す図である。
【図７】本発明の一つの実施態様によるホワイトバランス調整回路の回路図である。
【図８】本発明の一つの実施態様によるAMOLED駆動制御回路を用いるAMOLEDディスプレイパネルのホワイトバランスを動的に調整するための工程を示すフローチャートである。
【符号の説明】
【００３２】
２１０  第1トランジスタ
２２０  第２トランジスタ
２３０  キャパシタ
２４０  有機発光ダイオード
４１０  ゲート駆動回路
４２０  ソース駆動回路
４３０  プログラム可能電圧生成器
４４０  タイミング制御回路
４５０  AMOLEDディスプレイパネル
５１０  ソース及びゲートタイミングデータ制御回路
５２０  ホワイトバランス調整回路
５３０  インターフェイス処理回路
７１０  第1比較器
７２０  カウンタ
７３０  第２比較器
７４０  ANDロジックユニット
７５０  パラメータ設定ユニット
【図１】
2006267766.tif 000003
【図２】
2006267766.tif 000004
【図３】
2006267766.tif 000005
【図４】
2006267766.tif 000006
【図５】
2006267766.tif 000007
【図６】
2006267766.tif 000008
【図７】
2006267766.tif 000009
【図８】
2006267766.tif 000010
【外国語明細書】
Title of the Invention
ACTIVE MATRIX OLED DRIVING CONTROL CIRCUIT CAPABLE OF DYNAMICALLY ADJUSTING WHITE BALANCE AND ADJUSTING  METHOD THEREOF
technical field
[0001]   The present invention relates to an active matrix organic light-emitting diode (AMOLED) driving control circuit and a driving method.  More particularly, the present invention relates to an AMOLED driving control circuit capable of dynamically adjusting white balance and adjusting method thereof.
background art
[0002]   With the rapid improvement in semiconductor fabrication technologies, various types of information processing devices such as personal computers, mobile phones, personal digital assistants and digital cameras have been developed.  One of the most prominent components in an information device is the display device.  Because a flat panel display is light and slim and consumes very little power, it has gradually become one of the most popular display products.
[0003]   Active matrix organic light emitting diode (AMOLED) display is a particular type of flat panel display that has many advantages including a wide viewing angle, a good color contrast, a rapid response and a low production cost.  At present, many devices requiring a small display such as electronic clocks, mobile phones, personal digital assistants and digital cameras uses AMOLED displays.
disclosure of invention
problem to be solved by the invention
［0004]   However, because materials inside the organic light emitting diodes for generating red (R), green (G) and blue (B) light are different, brightness level of each color may change with prolonged usage.  Ultimately, the white balance of the OLED display panel may deteriorate.  Fig. 1 shows the curves of brightness level versus lifetime of the three types of high molecular weight light emitting materials for producing red, green and blue light.  In Fig. 1, the lighter color curves illustrates the degree of attenuation of the brightness level with time for the red, green and blue high molecular weight light emitting materials.  Clearly, the degree of attenuation with time of the three high molecular weight light emitting materials is non-identical.  Hence, the brightness level of each color may change after some time leading to a deterioration of the white balance in the display panel.
[0005]   Accordingly, at least one objective of the present invention is to provide an active matrix organic light emitting diode (AMOLED) driving control circuit capable of dynamically adjusting the white balance of a AMOLED display panel according to its usage status and the adjusting method thereof.
means for solving the problem
[0006]   To achieve these and other advantages and in accordance with the purpose of the invention, as embodied and broadly described herein, the invention provides a AMOLED driving control circuit capable of driving an AMOLED display panel and dynamically adjusting the white balance of the AMOLED display panel.  The AMOLED driving control circuit comprises a gate driving circuit, a source driving circuit, a programmable voltage generator and a timing control circuit.  The gate driving circuit generates a horizontal scan signal for controlling the scan line display of the AMOLED display panel.  The source driving circuit integrates with the horizontal scan signal and sends the video data of the display scan line to the AMOLED display panel.  The programmable voltage generator generates a plurality of programmable voltage sources serving as the power sources for red, green and blue pixels inside the AMOLED display panel.  The timing control circuit is coupled to the gate driving circuit, the source driving circuit and the programmable voltage generator for controlling the timing of video data between the gate driving circuit and the source driving circuit.  According to the usage status of the AMOLED display panel, the timing control circuit dynamically adjusts the voltage value of the programmable voltage source so that the white balance of the AMOLED display panel is also adjusted.
［0007]   In one embodiment of the present invention, the timing control circuit further comprises a source and gate timing data control circuit, an interface processing circuit and a white balance adjusting circuit.  The source and gate timing data control circuit controls the timing of video data between the gate driving circuit and the source driving circuit.  The interface processing circuit serves as a signal transmission interface.  The white balance adjusting circuit is coupled to the source and gate timing data control circuit and the interface processing circuit.  The white balance adjusting circuit sets the adjustable parameters for changing the voltage value of the programmable voltage source according to the usage status of the AMOLED display panel and transmits the parameters to the programmable voltage generator via the interface processing circuit.
[0008]   In one embodiment of the present invention, the usage status of the AMOLED display panel or the degree of material degradation is assessed according to whether the displayed gray level in the video data within a set period exceeds a preset value such as 255 or not.  According to the results of the assessment, the values of the adjustable parameters for setting the voltage value of the programmable voltage source are determined.  Thus, the white balance adjusting circuit at least comprises a first comparator, a counter, a second comparator, an AND logic unit and a parameter setting unit.        
[0009]   The first comparator compares the video data with the preset data value to produce a first compare signal.  The first compare signal is transmitted when the displayed gray level of the input video data is not less than the preset data value.  The counter for holding a count value is coupled to the first comparator so that the count value is increased by one on receiving a first compare signal, for example.   The second comparator is coupled to the counter for comparing the count value registered by the counter with a preset count value to produce a second compare signal.  The second compare signal is transmitted when the number of times the displayed gray level of the video data is not less than the preset data value reaches the set count value.  The AND logic unit is coupled to the second comparator for generating an adjusting signal according to the second compare signal after the passage of a designated period.  The parameter setting unit is coupled the AND logic unit to set the adjustable parameters for changing the voltage value of the programmable voltage source according to the adjusting signal and transmit the parametric values to the programmable voltage source via the interface processing circuit.
[0010]   The aforementioned preset data value, preset count value and preset time period can be stored inside a read only memory, an electrically erasable programmable read only memory or a flash memory.  The aforementioned interface processing circuit can be a serial transmission interface such as IIC.
[0011]   The present invention also provides a method of dynamically adjusting the white balance of an active matrix organic light emitting diode (AMOLED) display panel using an AMOLED driving control circuit.  The method includes the following steps.  First, a plurality of programmable voltage sources is provided to serve as power sources for driving red, green and blue pixels within the AMOLED display panel.  Thereafter, according to the usage status of the AMOLED display panel, the voltage value of various programmable voltage sources is dynamically adjusted.
[0012]   The method of adjusting the voltage value of the programmable voltage source according to the usage status of the AMOLED display panel includes receiving a video data and comparing the video data with a preset data value.  When the video data is not less than the preset data value, or in other words, the displayed gray levels of the video data is not less than the preset data value of say 255, the value inside the counter increases by one.  Thereafter, the value registered by the counter is compared with a preset counter value.  When a preset time period is passed and the value inside the counter is not less than the preset count value, this means that the degree of degradation of the material inside the display panel has already exceeded an acceptable level.  Therefore, the voltage value of the programmable voltage sources is adjusted to obtain a better white balance in the AMOLED display panel.
EFFECT OF THE INVENTION
[0013]   Accordingly, the AMOLED driving control circuit and adjusting method of the present invention is able to adjust the white balance of an AMOLED display panel dynamically in accordance with the degree of degradation of the light emitting material inside the panel.  Consequently, the AMOLED display panel can have a better long term white balance.
BEST MODE FOR CARRYING OUT THE INVENTION
[0014]   It is to be understood that both the foregoing general description and the following detailed description are exemplary, and are intended to provide further explanation of the invention as claimed.
[0015]   Reference will now be made in detail to the present preferred embodiments of the invention, examples of which are illustrated in the accompanying drawings.  Wherever possible, the same reference numbers are used in the drawings and the description to refer to the same or like parts.
[0016]   Theaccompanying drawings are included to provide a further understanding of the invention, and are incorporated in and constitute a part of this specification.  The drawings illustrate embodiments of the invention and, together with the description, serve to explain the principles of the invention. 
EMBODIMENTS
[0017]   Fig. 2 is an equivalent diagram showing a pixel circuit of an active matrix organic light emitting diode in an AMOLED display panel.  As shown in Fig. 2, an active matrix organic light emitting diode (AMOLED) pixel includes a first transistor 210, a second transistor 220, a capacitor 230 and an organic light emitting diode 240.  A gate terminal of the first transistor 210 is connected to a scan line and a drain terminal of the first transistor 210 is connected to a data line.  A source terminal of the first transistor 210 is connected to one terminal of a capacitor 230 as well as a gate terminal of a second transistor 220.  A drain terminal of the second transistor 220 is connected to a voltage source Vddand a source terminal of the second transistor 220 is connected to an anode of the organic light emitting diode 240.
[0018]   When a horizontal scan signal applied to the pixel through the scan line, the transistor 210 is turned on so that a voltage Vg on the data line is applied to the gate terminal of the second transistor 220.  In general, a brightness level of the organic light emitting diode 240 is proportional to current Id passing through the organic light emitting diode 240.  Hence, a displayed gray level of the organic light emitting diode 240 can be controlled by a voltage value representing video data on the data line.
[0019]   When the AMOLED display panel has been used for a long time (refer to Fig. 1), the brightness level of red, green and blue light may change due to the different degree of degradation of the high molecular weight light emitting materials for producing red, green and blue light.  A non-uniformity of brightness level of the three primary colors often leads to problems in white balance.  In the present invention, the voltage of the power source Vdd in Fig. 2 can be reset to adjust the size of current Id flowing through the organic light emitting diode 240 so that the actual luminosity of the organic light emitting diode 240 can be changed.  The effect of adjusting the supply voltage can be observed from a characteristic current versus voltage curve of the transistor in Fig. 3.
[0020]   Fig. 4 is a circuit diagram of an AMOLED driving control circuit for providing a dynamic adjustment of the white balance of an AMOLED display panel according to one embodiment of the present invention.  As shown in Fig. 4, the AMOLED driving control circuit includes a gate driving circuit 410, a source driving circuit 420, a programmable voltage generator 430 and a timing control circuit 440.  The AMOLED driving control circuit drives arrays of red (R), green (G) and blue (B) pixels inside an AMOLED display panel 450.
[0021]   The gate driving circuit 410 generates a horizontal scan signal for controlling the scan line in the AMOLED display panel 450.  The source driving circuit 420 provides a source signal according to video data intent to be displayed transmits to the pixels corresponding to the horizontal scan line within the AMOLED display panel 450.  The programmable voltage generator 430 generates a plurality of programmable voltage sources such as Vdd_r and Vss_r, Vdd_g and Vss_g and Vdd_b and Vss_b, which sources serve as the power sources for the red (R), green (G) and blue (B) pixels within the AMOLED display panel 450.  The timing control circuit 440 is coupled to the gate driving circuit 410, the source driving circuit 420 and the programmable voltage generator 430 for controlling the timing of the submission of video data between the gate driving circuit 410 and the source driving circuit 420.  According to the usage status of the AMOLED display panel 450 such as the display time and the number of pixels having a gray level larger than a fixed value, the voltages at the programmable voltage sources Vdd_r and Vss_r, Vdd_g and Vss_g and Vdd_b and Vss_b are dynamically adjusted so that an ideal white balance is always maintained in the AMOLED display panel 450.
[0022]   Fig. 5 is a block diagram of the timing control circuit according to one embodiment of the present invention.  As shown in Fig. 5, the timing control circuit 440 includes a source and gate timing data control circuit 510, an interface processing circuit 530 and a white balance adjusting circuit 520.  The source and gate timing data control circuit 510 controls the timing of the submission of video data between the gate driving circuit 410 and the source driving circuit 420.  The interface processing circuit 530 provides a serial transmission interface such as IIC that serves as an interface for signal transmission.  The white balance adjusting circuit 520, coupled to the source and gate timing data control circuit 510 and the interface processing circuit 530, is used to adjust the parameters for setting the voltage values of the programmable voltage sources according to the usage status of the AMOLED display panel such as the display time and the number of pixels having a displayed gray level greater than a fixed value.  Thereafter, the white balance adjusting circuit 520 transmits the parameters for changing the voltage values to the programmable voltage generator 430 through the interface processing circuit 530.
[0023]   Fig. 6 shows a display panel having a 1024*768 resolution partitioned into 16 regions.  According to the circuits in Figs, 4 and 5 and the AMOLED driving control circuit of the present invention, the voltages at the programmable voltage sources is adjusted based on, for example, the display time and the number of pixels having a displayed gray level higher than a fixed value.  To gauge the driving status or the degree of degradation of light emitting materials of the AMOLED display panel more accurately, the white balance adjusting circuit 520 can set the voltage values of the programmable voltage sources precisely, and the AMOLED display panel is partitioned into 16 regions.  Each region performs a counting of the number of active matrix organic light emitting diodes subjected to a displayed gray level higher than a fixed value within a designated period.  The data thus gathered serves as a base for assessing the degree of degradation in the light emitting material.  Clearly, anyone familiar in this field may notice that the AMOLED display panel can be divided into whatever number of counting regions that are desirable.
[0024]   Fig. 7 is a circuit diagram of the white balance adjusting circuit according to one embodiment of the present invention.  As shown in Fig. 7, the white balance adjusting circuit at least includes a first comparator 710, a counter 720, a second comparator 730, an AND logic unit 740 and a parameter setting unit 750.  Obviously, the first comparator 710, the counter 720, the second comparator 730, the AND logic unit 740 are used for assessing the preset time period and preset count value status within one AMOLED display panel region.  To detect the status in more regions, the number of comparators and counters must be increased accordingly.
[0025]   In Fig. 7, the first comparator 710 is used to compare the video data to be displayed with a preset data value such as 255 and generate a first compare signal C1.  The first compare signal C1 is produced when the displayed gray level of the input video data is not less than the preset data value signal.  Here, if a preset data value having a gray level of 255 is used as a reference, all the 8-bit displayed video data having the largest degree of material degradation can be detected.   
[0026]   In addition, the counter 720 is coupled to the first comparator 710 for updating the count value inside the counter 720 when a first compare signal C1 arrives.  For example, on receiving a compare signal C1 from the first comparator 710, the count value inside the counter 720 is increased by one.  The second comparator 730 is coupled to the counter 720 for comparing the count value inside the counter 720 with a preset count value and generating a second compare signal C2.  In other words, the second comparator 730 checks to determine if the number of displayed video data having a gray level not less than the preset data value exceeds the preset count value.  The AND logic unit 740 is coupled to the second comparator 730 for generating an adjusting signal ADJ according to the second compare signal C2 after a preset period has passed.  The parameter setting unit 750 is coupled to the AND logic unit 740 for adjusting the parameters for setting the voltage values of the programmable voltage sources according to the adjusting signal ADJ and then sending the parameters to the programmable voltage generator 430 via the interface processing circuit 530.
[0027]   In the present embodiment, the preset data value, the preset count value and the preset time period can be stored inside a read only memory (ROM), an electrically erasable programmable read only memory (EEPROM) or a flash memory, for example.  Moreover, all these values are read out from the memory to serve as compare data each time the AMOLED display panel is activated.
[0028]   Fig. 8 is a flow diagram showing the steps for dynamically adjusting the white balance of an AMOLED display panel using an AMOLED driving control circuit according to one embodiment of the present invention.  The present method is capable of dynamically adjusting the white balance of an AMOLED display panel.  First, a plurality of programmable voltage sources is provided to serve as the power sources for red, green and blue pixels inside the AMOLED display panel.  Thereafter, according to the usage status of the AMOLED display panel, the voltage values of various programmable voltage sources are dynamically adjusted.  The aforementioned AMOLED display panel is partitioned into 16 regions.  Since the steps carried out to adjust the pixels in each region are identical, Fig. 8 illustrates the steps for adjusting the pixels within a first region only.     
[0029]   In step 810, a video data is fetched from an external source.  In step 820, the video data is checked to determine which region within the AMOLED display panel it belongs.  Thereafter, the flow is branched to whichever region the video data is found to belong.   For example, if the video data is determined to belong to the first region of the AMOLED display panel, step 830 is executed so that the video data is compared with a preset data value with a gray level 255.  When the video data is not less than the preset data value, step 840 is executed to increase a count value.  In step 850, the count value is compared with a preset count value to determine whether the count value is smaller than the preset count value or not when a preset time limit has passed.  If the count value is found to be not less than the preset count value after the passage of the preset time limit, the deterioration of the light emitting material inside the AMOLED display panel is considered to be beyond an acceptable level.  In this case, step 860 is executed to adjust the voltage values of various programmable voltage sources and provide the AMOLED display panel with a better white balance.  Obviously, the preset time limit and the preset count value serving as reference values can be changed according to the actual requirements.  In addition, a set of preset time limits and preset count values may also be used.
[0030]   It will be apparent to those skilled in the art that various modifications and variations can be made to the structure of the present invention without departing from the scope or spirit of the invention.  In view of the foregoing, it is intended that the present invention cover modifications and variations of this invention provided they fall within the scope of the following claims and their equivalents.
brief description of the drawings
[0031] 
Fig. 1 (a), (b) and (c) show the curves of brightness level versus lifetime of three types of high molecular weight light emitting materials for producing red, green and blue light.
Fig. 2 is an equivalent diagram showing a pixel circuit of an active matrix organic light emitting diode.
Fig. 3 is a graph showing the characteristic curve of a transistor inside the circuit in Fig. 2.
Fig. 4 is a circuit diagram of an AMOLED driving control circuit for providing a dynamic adjustment of the white balance of an AMOLED display panel according to one embodiment of the present invention.
Fig. 5 is a block diagram of the timing control circuit according to one embodiment of the present invention.
Fig. 6 shows a display panel having a 1024*768 resolution partitioned into 16 regions.
Fig. 7 is a circuit diagram of the white balance adjusting circuit according to one embodiment of the present invention.
Fig. 8 is a flow diagram showing the steps for dynamically adjusting the white balance of an AMOLED display panel using an AMOLED driving control circuit according to one embodiment of the present invention. 
description of numerals
[0032] 
210   first transistor
220   second transistor
230   capacitor
240   organic light emitting diode
410   gate driving circuit 
420   source driving circuit 
430   programmable voltage generator 
440   timing control circuit
450   AMOLED display panel
510   source and gate timing data control circuit
520   white balance adjusting circuit
530   interface processing circuit 
710   first comparator
720   counter
730   second comparator
740   AND logic unit
750   parameter setting unit
【CLAIM 1】
An active matrix organic light emitting diode (AMOLED) driving control circuit for dynamically adjusting the white balance of an AMOLED display panel, comprising:
a gate driving circuit for generating a horizontal scan signal to control a scan line of the AMOLED display panel;
a source driving circuit for applying a video data to the AMOLED display panel according to the horizontal scan signal;
a programmable voltage generator for generating a plurality of programmable voltage sources that serves as power sources for driving red, green and blue pixels within the AMOLED display panel; and
a timing control circuit coupled to the gate driving circuit, the source driving circuit and the programmable voltage generator for controlling the timing of the submission of the video data between the gate driving circuit and the source driving circuit and dynamically adjusting the voltage value of the programmable voltage sources according to the usage status of the AMOLED display panel.
【CLAIM 2】
The AMOLED driving control circuit of claim 1, wherein the timing control circuit comprises:
a source and gate timing data control circuit for controlling the timing of the submission of the video data between the gate driving circuit and the source driving circuit;
an interface processing circuit serving as a signal transmission interface; and
a white balance adjusting circuit coupled to the source and gate timing data control circuit and the interface processing circuit for adjusting the parameters for setting the voltage value of the programmable voltage sources according to the  usage status ofthe AMOLED display panel and submitting the parameters to the programmable voltage generator through the interface processing circuit.
【CLAIM 3】
The AMOLED driving control circuit of claim 2, wherein the white balance adjusting circuit at least comprises:
a first comparator for comparing the video data with a preset data value and generating a first compare signal;
a counter coupled to the first comparator for counting a count value based on the first compare signal;
a second comparator coupled to the counter for comparing the count value with a preset count value and generating a second compare signal;
an AND logic unit coupled to the second comparator for generating an adjusting signal based on the second compare signal after the passage of a preset time period; and
a parameter setting unit coupled to the AND logic unit for providing the parameter for setting the voltage value of the programmable voltage sources according to the adjusting signal and transmitting the parameter to the programmable voltage generator through the interface processing circuit.
【CLAIM 4】
The AMOLED driving control circuit of claim 3, wherein the preset data value, the preset count value and the preset time period are stored inside a read only memory unit.
【CLAIM 5】
The AMOLED driving control circuit of claim 3, wherein the preset data value, the preset count value and the preset time period are stored inside an electrically erasable programmable read only memory unit.
【CLAIM 6】
The AMOLED driving control circuit of claim 3, wherein the preset data value, the preset count value and the preset time period are stored inside a flash memory unit.
【CLAIM 7】
The AMOLED driving control circuit of claim 2, wherein interface processing circuit comprises a serial transmission interface.
【CLAIM 8】
A method of dynamically adjusting the white balance of an active matrix organic light emitting diode (AMOLED) display panel using an AMOLED driving control circuit, comprising:
providing a plurality of programmable voltage sources to serve as power sources for driving red, green and blue pixels within the AMOLED display panel; and
adjusting the voltage value of the programmable voltage sources dynamically according to the usage status of the AMOLED display panel.
【CLAIM 9】
The adjusting method of claim 8, wherein the step of adjusting the voltage value of the programmable voltage sources dynamically according to the usage status of the AMOLED display panel comprises:
receiving a video data;
comparing the video data with a preset data value;
increasing the value inside a counter when the video data is not less than the preset data value;
comparing the counter value with a preset count value; and
adjusting the voltage value of the programmable voltage sources after the passage of a preset time period when the count value is not less than the preset count value.
ABSTRACT
PROBLEM TO SOLVE
To provide an active matrix organic light emitting diode (AMOLED) driving control circuit with the capability of dynamically adjusting the white balance of an AMOLED display panel and the adjusting method thereof.  
COUNTERMEASURE TO SOLVE THE PROBLEM
An active matrix organic light emitting diode (AMOLED) driving control circuit for dynamically adjusting the white balance of an AMOLED display panel includes a gate driving circuit for generating a horizontal scan signal to control a scan line of the AMOLED display panel, a source driving circuit for applying a video data to the AMOLED display panel according to the horizontal scan signal, a programmable voltage generator, and a timing control circuit.  The programmable voltage generator generates a plurality of programmable voltage sources that serves as power sources for driving red, green, and blue pixels within the AMOLED display panel.  The timing control circuit is coupled to the gate driving circuit, the source driving circuit and the programmable voltage generator for controlling the timing of the submission of the video data between the gate driving circuit and the source driving circuit and dynamically adjusting the voltage value of the programmable voltage sources according to the usage status of the AMOLED display panel.
SELECTED DRAWING  FIG. 4
【FIG. 1】
2006267766.tif 000011
【FIG. 2】 
2006267766.tif 000012
【FIG. 3】 
2006267766.tif 000013
【FIG. 4】
2006267766.tif 000014
【FIG. 5】
2006267766.tif 000015
【FIG. 6】
2006267766.tif 000016
【FIG. 7】 
2006267766.tif 000017
【FIG. 8】 
2006267766.tif 000018